(57)【要約】【課題】複数の見守り対象者がいる場合に、見守り対象者への支援が必要になったタイミングで見守り者に対応させる。【解決手段】第１通信端末１は、自身と第２通信端末２との離間度合いを特定するための無線通信を行う第１通信部１３と、第１通信部１３とは異なる方式で無線通信を行う第２通信部１４と、第１通信部１３による無線通信の通信状況を監視する対象として指定された複数の第２通信端末２のそれぞれを識別する端末識別情報を記憶する記憶部１５と、複数の第２通信端末２同士が第１距離以内に存在するか否かを判定するとともに、第１通信部１３による複数の第２通信端末２のそれぞれとの無線通信の通信状態と、当該判定の結果とに基づいて、第２通信部１４により、端末識別情報に基づいて複数の第２通信端末２の少なくともいずれかと無線通信を行う通信制御部１６４とを備える。【選択図】図１
2017134648.tif 000002
【特許請求の範囲】
【請求項１】
自身と他端末との離間度合いを特定するための無線通信を行う第１通信部と、
前記第１通信部とは異なる方式で無線通信を行う第２通信部と、
前記第１通信部による無線通信の通信状況を監視する対象として指定された複数の前記他端末のそれぞれを識別する端末識別情報を記憶する記憶部と、
複数の前記他端末同士が第１距離以内に存在するか否かを判定するとともに、前記第１通信部による複数の前記他端末のそれぞれとの無線通信の通信状態と、当該判定の結果とに基づいて、前記第２通信部により、前記端末識別情報に基づいて複数の前記他端末の少なくともいずれかと無線通信を行う通信制御部と、
を備える通信端末。
【請求項２】
前記第１通信部による無線通信の通信状況が、前記通信端末が複数の前記他端末の少なくともいずれかと第２距離以上離れていることを示す通信状況に変化すると、前記第２通信部による複数の前記他端末との無線通信の開始指示を受け付ける画面を表示部に表示させ、当該開始指示を受け付ける受付部をさらに備え、
前記通信制御部は、前記開始指示を受け付けると、前記第２通信部により、前記端末識別情報に基づく前記他端末との無線通信を行う、
請求項１に記載の通信端末。
【請求項３】
前記受付部は、前記第１通信部による無線通信の通信状況が、前記通信端末が複数の前記他端末の少なくともいずれかと前記第２距離以上離れていることを示す通信状況に変化した場合において、前記複数の他端末同士が前記第１距離以内に存在するときには前記画面を前記表示部に表示させず、前記複数の他端末同士が前記第１距離以内に存在しないときには、前記画面を前記表示部に表示させる、
請求項２に記載の通信端末。
【請求項４】
前記受付部は、前記第１通信部による無線通信の通信状況が、前記通信端末が前記複数の他端末の少なくともいずれかと前記第２距離以上離れていることを示す通信状況に変化した場合に、前記複数の他端末同士が前記第１距離以内に存在するときと、前記複数の他端末同士が前記第１距離以内に存在しないときとで、前記画面を前記表示部に表示させるタイミングを異ならせる、
請求項２に記載の通信端末。
【請求項５】
前記受付部は、前記第１通信部による無線通信の通信状況が、前記通信端末が前記複数の他端末の少なくともいずれかと前記第２距離以上離れていることを示す通信状況に変化した場合に、前記複数の他端末同士が前記第１距離以内に存在するときと、前記複数の他端末同士が前記第１距離以内に存在しないときとで、異なる内容の前記画面を前記表示部に表示させる、
請求項２に記載の通信端末。
【請求項６】
前記通信制御部は、前記第１通信部による無線通信の通信状況が、前記通信端末が複数の前記他端末の少なくともいずれかと前記第２距離以上離れていることを示す通信状況に変化すると、前記第２通信部により、前記第２距離以上離れている他端末から、当該他端末を所持するユーザの移動態様を示す情報を受信し、
前記第２距離以上離れている他端末を所持するユーザの移動態様を示す情報を前記通信端末のユーザに通知する通知部をさらに備える、
請求項２から５のいずれか１項に記載の通信端末。
【請求項７】
前記第１通信部による無線通信の通信状況が、前記通信端末が複数の前記他端末の少なくともいずれかと前記第２距離以上離れていることを示す通信状況に変化した後、前記第２距離以上離れていた他端末と前記第２距離以上離れていないことを示す通信状況に変化すると、前記第２距離以上離れていた他端末と前記第１通信部による無線通信ができることを前記通信端末のユーザに通知する通知部をさらに備える、
請求項２から６のいずれか１項に記載の通信端末。
【請求項８】
前記通信制御部は、複数の前記他端末のそれぞれから受信する前記第１通信部の無線通信に係る電波の受信強度に基づいて、複数の前記他端末が前記第１距離以内に存在するか否かを判定する、
請求項１から７のいずれか１項に記載の通信端末。
【請求項９】
複数の前記他端末は、前記第１通信部による無線通信を行い、
前記通信制御部は、複数の前記他端末の少なくともいずれかから、複数の他端末同士の前記第１通信部による無線通信の通信状況を示す情報を取得し、当該情報に基づいて、複数の前記他端末が前記第１距離以内に存在するか否かを判定する、
請求項１から８のいずれか１項に記載の通信端末。
【請求項１０】
複数の前記他端末のそれぞれについて、前記第２通信部による無線通信の開始指示を受け付ける画面を表示させる基準となる離間度合いを設定する設定部と、
前記第１通信部による無線通信の通信状況に基づいて、前記通信端末と、複数の前記他端末のそれぞれとの離間度合いを判定し、複数の前記他端末のそれぞれとの離間度合いと、複数の前記他端末のそれぞれに設定された前記基準となる離間度合いとに基づいて、複数の前記他端末のそれぞれに対応して前記第２通信部による無線通信の開始指示を受け付ける画面を表示させ、当該開始指示を受け付ける受付部とさらに備える、
請求項１に記載の通信端末。
【請求項１１】
第１通信端末と、第２通信端末とを備える通信システムであって、
前記第１通信端末及び前記第２通信端末は、
自身と他端末との離間度合いを特定するための無線通信を行う第１通信部と、
前記第１通信部とは異なる方式で無線通信を行う第２通信部とを有し、
前記第１通信端末は、
前記第１通信部による無線通信の通信状況を監視する対象として指定された複数の前記第２通信端末のそれぞれを識別する端末識別情報を記憶する記憶部と、
複数の前記他端末同士が所定距離以内に存在するか否かを判定するとともに、前記第１通信部による複数の前記他端末のそれぞれとの無線通信の通信状態と、当該判定の結果とに基づいて、前記第２通信部により、前記端末識別情報に基づいて複数の前記他端末の少なくともいずれかと無線通信を行う通信制御部とをさらに有する、
通信システム。
【請求項１２】
自身と他端末との離間度合いを特定するための無線通信を行う第１通信部と、前記第１通信部とは異なる方式で無線通信を行う第２通信部とを備えるコンピュータにより実行される、
前記第１通信部による無線通信の通信状況を監視する対象として指定された複数の前記他端末のそれぞれを識別する端末識別情報を記憶部に記憶させるステップと、
複数の前記他端末同士が所定距離以内に存在するか否かを判定するステップと、
前記第１通信部による複数の前記他端末のそれぞれとの無線通信の通信状況と、前記判定の結果とに基づいて、前記第２通信部により、前記端末識別情報に基づいて複数の前記他端末の少なくともいずれかと無線通信を行うステップと、
を備える通信方法。
【発明の詳細な説明】
【技術分野】
【０００１】
本発明は、通信端末、通信システム及び通信方法に関する。
【背景技術】
【０００２】
従来、見守り対象者に通信端末を携帯させて、当該通信端末により見守り対象者の安否を確認することが行われている。例えば、特許文献１には、見守り者が携帯する端末が、見守り対象者が携帯する端末と所定距離以上離れたことを検出すると、警報を出力することが開示されている。
【先行技術文献】
【特許文献】
【０００３】
【特許文献１】特開平１１−２４２７９０号公報
【発明の概要】
【発明が解決しようとする課題】
【０００４】
ところで、複数の見守り対象者が存在する場合において、複数の見守り対象者同士が一緒にいるときには、複数の見守り対象者同士が一緒にいないときに比べて安全性が高い。しかしながら、特許文献１に記載された技術を用いる場合、見守り者の通信端末は、見守り対象者が他の見守り対象者と一緒に行動しており安全性が高いにもかかわらず、見守り者の通信端末から離れたことに応じて警報を出力してしまうという問題が生じてしまう。
【０００５】
そこで、本発明はこれらの点に鑑みてなされたものであり、複数の見守り対象者がいる場合に、見守り対象者への支援が必要になったタイミングで見守り者に対応させることができる通信端末、通信システム及び通信方法を提供することを目的とする。
【課題を解決するための手段】
【０００６】
本発明の第１の態様に係る通信端末は、自身と他端末との離間度合いを特定するための無線通信を行う第１通信部と、前記第１通信部とは異なる方式で無線通信を行う第２通信部と、前記第１通信部による無線通信の通信状況を監視する対象として指定された複数の前記他端末のそれぞれを識別する端末識別情報を記憶する記憶部と、複数の前記他端末同士が第１距離以内に存在するか否かを判定するとともに、前記第１通信部による複数の前記他端末のそれぞれとの無線通信の通信状態と、当該判定の結果とに基づいて、前記第２通信部により、前記端末識別情報に基づいて複数の前記他端末の少なくともいずれかと無線通信を行う通信制御部と、を備える。
【０００７】
前記通信端末は、前記第１通信部による無線通信の通信状況が、前記通信端末が複数の前記他端末の少なくともいずれかと第２距離以上離れていることを示す通信状況に変化すると、前記第２通信部による複数の前記他端末との無線通信の開始指示を受け付ける画面を表示部に表示させ、当該開始指示を受け付ける受付部をさらに備え、前記通信制御部は、前記開始指示を受け付けると、前記第２通信部により、前記端末識別情報に基づく前記他端末との無線通信を行ってもよい。
【０００８】
前記受付部は、前記第１通信部による無線通信の通信状況が、前記通信端末が複数の前記他端末の少なくともいずれかと前記第２距離以上離れていることを示す通信状況に変化した場合において、前記複数の他端末同士が前記第１距離以内に存在するときには前記画面を前記表示部に表示させず、前記複数の他端末同士が前記第１距離以内に存在しないときには、前記画面を前記表示部に表示させてもよい。
【０００９】
前記受付部は、前記第１通信部による無線通信の通信状況が、前記通信端末が前記複数の他端末の少なくともいずれかと前記第２距離以上離れていることを示す通信状況に変化した場合に、前記複数の他端末同士が前記第１距離以内に存在するときと、前記複数の他端末同士が前記第１距離以内に存在しないときとで、前記画面を前記表示部に表示させるタイミングを異ならせてもよい。
【００１０】
前記受付部は、前記第１通信部による無線通信の通信状況が、前記通信端末が前記複数の他端末の少なくともいずれかと前記第２距離以上離れていることを示す通信状況に変化した場合に、前記複数の他端末同士が前記第１距離以内に存在するときと、前記複数の他端末同士が前記第１距離以内に存在しないときとで、異なる内容の前記画面を前記表示部に表示させてもよい。
【００１１】
前記通信制御部は、前記第１通信部による無線通信の通信状況が、前記通信端末が複数の前記他端末の少なくともいずれかと前記第２距離以上離れていることを示す通信状況に変化すると、前記第２通信部により、前記第２距離以上離れている他端末から、当該他端末を所持するユーザの移動態様を示す情報を受信し、前記通信端末は、前記第２距離以上離れている他端末を所持するユーザの移動態様を示す情報を前記通信端末のユーザに通知する通知部をさらに備えてもよい。
【００１２】
前記通信端末は、前記第１通信部による無線通信の通信状況が、前記通信端末が複数の前記他端末の少なくともいずれかと前記第２距離以上離れていることを示す通信状況に変化した後、前記第２距離以上離れていた他端末と前記第２距離以上離れていないことを示す通信状況に変化すると、前記第２距離以上離れていた他端末と前記第１通信部による無線通信ができることを前記通信端末のユーザに通知する通知部をさらに備えてもよい。
【００１３】
前記通信制御部は、複数の前記他端末のそれぞれから受信する前記第１通信部の無線通信に係る電波の受信強度に基づいて、複数の前記他端末が前記第１距離以内に存在するか否かを判定してもよい。
複数の前記他端末は、前記第１通信部による無線通信を行い、前記通信制御部は、複数の前記他端末の少なくともいずれかから、複数の他端末同士の前記第１通信部による無線通信の通信状況を示す情報を取得し、当該情報に基づいて、複数の前記他端末が前記第１距離以内に存在するか否かを判定してもよい。
【００１４】
前記通信端末は、複数の前記他端末のそれぞれについて、前記第２通信部による無線通信の開始指示を受け付ける画面を表示させる基準となる離間度合いを設定する設定部と、前記第１通信部による無線通信の通信状況に基づいて、前記通信端末と、複数の前記他端末のそれぞれとの離間度合いを判定し、複数の前記他端末のそれぞれとの離間度合いと、複数の前記他端末のそれぞれに設定された前記基準となる離間度合いとに基づいて、複数の前記他端末のそれぞれに対応して前記第２通信部による無線通信の開始指示を受け付ける画面を表示させ、当該開始指示を受け付ける受付部とさらに備えてもよい。
【００１５】
本発明の第２の態様に係る通信システムは、第１通信端末と、第２通信端末とを備える通信システムであって、前記第１通信端末及び前記第２通信端末は、自身と他端末との離間度合いを特定するための無線通信を行う第１通信部と、前記第１通信部とは異なる方式で無線通信を行う第２通信部とを有し、前記第１通信端末は、前記第１通信部による無線通信の通信状況を監視する対象として指定された複数の前記第２通信端末のそれぞれを識別する端末識別情報を記憶する記憶部と、複数の前記他端末同士が所定距離以内に存在するか否かを判定するとともに、前記第１通信部による複数の前記他端末のそれぞれとの無線通信の通信状態と、当該判定の結果とに基づいて、前記第２通信部により、前記端末識別情報に基づいて複数の前記他端末の少なくともいずれかと無線通信を行う通信制御部とをさらに有する。
【００１６】
本発明の第３の態様に係る通信方法は、自身と他端末との離間度合いを特定するための無線通信を行う第１通信部と、前記第１通信部とは異なる方式で無線通信を行う第２通信部とを備えるコンピュータにより実行される、前記第１通信部による無線通信の通信状況を監視する対象として指定された複数の前記他端末のそれぞれを識別する端末識別情報を記憶部に記憶させるステップと、複数の前記他端末同士が所定距離以内に存在するか否かを判定するステップと、前記第１通信部による複数の前記他端末のそれぞれとの無線通信の通信状況と、前記判定の結果とに基づいて、前記第２通信部により、前記端末識別情報に基づいて複数の前記他端末の少なくともいずれかと無線通信を行うステップと、を備える。
【発明の効果】
【００１７】
本発明によれば、複数の見守り対象者がいる場合に、見守り対象者への支援が必要になったタイミングで見守り者に対応させることができるという効果を奏する。
【図面の簡単な説明】
【００１８】
【図１】第１実施形態に係る通信システムの概要を示す図である。
【図２】第１実施形態に係る第１通信端末の構成を示す図である。
【図３】第１実施形態に係る第２通信端末の構成を示す図である。
【図４】ペアリング時の処理の流れを示すフローチャートである。
【図５】監視画面の一例を示す図である。
【図６】選択画面の一例を示す図である。
【図７】第１通信部による第２通信端末との無線通信の通信状況の監視時の処理の流れを示すフローチャートである。
【図８】監視画面による離間度合いの通知例を示す図である。
【図９】警告画面の一例を示す図である。
【図１０】警告画面の表示制御例を示す図である。
【図１１】複数の第２通信端末同士のペアリング時の処理の流れを示すフローチャートである。
【図１２】第３実施形態に係る第１通信端末の構成を示す図である。
【発明を実施するための形態】
【００１９】
＜第１実施形態＞
［通信システムＳの構成］
図１は、第１実施形態に係る通信システムＳの概要を示す図である。
通信システムＳは、見守り者が所持する第１通信端末１と、複数の見守り対象者のそれぞれが所持する第２通信端末２（例えば、第２通信端末２Ａ、第２通信端末２Ｂ）とを備える。ここで、見守り対象者は、例えば子供であり、見守り者は、例えば子供の保護者（親）である。
【００２０】
第１通信端末１は、制御部や記憶部を備え、見守り者が携帯可能なコンピュータである。第１通信端末１は、例えば、スマートフォン等の携帯電話機であり、自身と他端末（第２通信端末）との離間度合いを特定するための無線通信を行う第１通信部と、第１通信部とは異なる方式で無線通信を行う第２通信部とを備える。
【００２１】
第２通信端末２は、制御部や記憶部を備え、例えば、見守り対象者が体に装着可能なウェアラブルコンピュータである。第２通信端末２は、例えば、腕時計型の携帯電話機であり、第１通信端末１と同様に、第１通信部と第２通信部とを備える。
【００２２】
第１通信端末１を所持する見守り者は、第２通信端末２を所持する見守り対象者とともに行動する場合、第１通信端末１を操作して、見守り対象者が見守り者から離れたか否かを監視する機能（監視機能）をオン状態にする。
【００２３】
第１通信端末１は、監視機能がオン状態にされたことに応じて、複数の見守り対象者のそれぞれが所持する第２通信端末２（第２通信端末２Ａ、第２通信端末２Ｂ）と、第１通信部による無線通信により通信を行う。第１通信部の通信可能距離は、例えば５０ｍ程度であり、第１通信端末１は、第１通信部による第２通信端末２との通信が可能な場合、見守り対象者が見守り者から離れていないと判定する。
【００２４】
第１通信端末１は、第１通信部による無線通信により第２通信端末２と通信ができなくなるか、第２通信端末２から受信する電波の電波強度が所定の閾値以下に変化すると、当該第２通信端末２を所持する見守り対象者が見守り者から離れたと判定する。第１通信端末１は、複数の第２通信端末２同士が第１距離以内に存在するか否かを判定する。ここで、第１距離は、例えば、第１通信部の通信可能距離である第２距離（例えば、５０ｍ）よりも短い距離（例えば、１０ｍ）である。第１通信端末１は、複数の見守り対象者のうち、少なくともいずれかの見守り対象者が見守り者から離れたと判定した場合、複数の第２通信端末同士が第１距離以内に存在するか否かの判定の結果に基づいて、第２通信部により、第２通信端末２と無線通信を行い、電話等による見守り対象者と見守り者とのコミュニケーションを可能とする。
【００２５】
このようにすることで、第１通信端末１を所持する見守り者は、第２通信端末２を所持する複数の見守り対象者のうち、少なくともいずれかが離れた場合に、複数の見守り対象者同士の距離に応じて、見守り対象者への支援が必要になったタイミングで対応することができる。
続いて、第１通信端末１及び第２通信端末２の構成について説明する。
【００２６】
［第１通信端末１の構成］
図２は、第１実施形態に係る第１通信端末１の構成を示す図である。第１通信端末１は、入力部１１と、表示部１２と、第１通信部１３と、第２通信部１４と、記憶部１５と、制御部１６とを備える。
【００２７】
入力部１１は、例えば、ボタンやタッチパネルであり、第１通信端末１のユーザから操作入力を受け付ける。
表示部１２は、例えば、液晶ディスプレイや有機ＥＬ（Electro-Luminescence）ディスプレイであり、制御部１６の制御に応じて各種情報を表示する。
【００２８】
第１通信部１３は、自身と第２通信端末２との離間度合いを判定するための無線通信を行う。第１通信部１３は、ＢＬＥ（Bluetooth Low Energy）（登録商標）等の、通信可能な距離が第２距離である近距離無線通信方式により、第２通信端末２と無線通信を行う。
【００２９】
第１通信部１３は、例えば、第２通信端末２から発信されたビーコン信号を受信する。第１通信部１３は、受信したビーコン信号に対応する電波の電波強度を測定する。第１通信部１３は、測定された電波強度を示す情報と、ビーコン信号に含まれているビーコンＩＤとを制御部１６に出力する。
【００３０】
第２通信部１４は、第１通信部１３とは異なる方式で無線通信を行う。例えば、第２通信部１４は、携帯電話回線やインターネット等の通信ネットワークを介して第２通信端末２と通信を行う。
【００３１】
記憶部１５は、例えば、ＲＯＭ及びＲＡＭ等である。記憶部１５は、第１通信端末１を機能させるための各種プログラムを記憶する。記憶部１５は、第１通信端末１の制御部１６を、第１受付部１６１、取得部１６２、記憶制御部１６３、通信制御部１６４、第２受付部１６５、及び通知部１６６として機能させる見守り用プログラムを記憶する。記憶部１５は、外部メモリ等の記憶媒体に記憶されたプログラムを読み取って記憶してもよく、通信ネットワークを介して外部機器からダウンロードされたプログラムを記憶してもよい。
【００３２】
なお、第１通信端末１に接続されている記憶媒体も、記憶部１５に含まれるものとする。第１通信端末１に接続されている記憶媒体は、例えば、第１通信端末１を識別する識別情報としての第１通信端末１の電話番号（以下、第１電話番号ともいう。）を記憶するＳＩＭカードである。
【００３３】
また、記憶部１５は、監視対象の複数の見守り対象者のそれぞれが所持する第２通信端末２を識別する端末識別情報として、複数の第２通信端末２のそれぞれに予め割り当てられているユーザＩＤと、見守り対象者の名称とを記憶する。
【００３４】
制御部１６は、例えば、ＣＰＵである。制御部１６は、記憶部１５に記憶されている各種プログラムを実行することにより、第１通信端末１に係る機能を制御する。制御部１６は、第１受付部１６１と、取得部１６２と、記憶制御部１６３と、通信制御部１６４と、第２受付部１６５と、通知部１６６とを備える。これらの機能の詳細については後述する。
【００３５】
［第２通信端末２の構成］
図３は、第１実施形態に係る第２通信端末２の構成を示す図である。第２通信端末２は、入力部２１と、表示部２２と、第１通信部２３と、第２通信部２４と、記憶部２５と、制御部２６とを備える。
入力部２１、表示部２２、第１通信部２３、及び第２通信部２４の機能は、第１通信端末１の入力部１１、表示部１２、第１通信部１３、及び第２通信部１４の機能と同じであるので説明を省略する。
【００３６】
記憶部２５は、例えば、ＲＯＭ及びＲＡＭ等である。記憶部２５は、第２通信端末２を機能させるための各種プログラムを記憶する。記憶部２５は、第２通信端末２の制御部２６を、取得部２６２、記憶制御部２６３、通信制御部２６４、受付部２６５、及び通知部２６６として機能させる見守り用プログラムを記憶する。記憶部２５は、外部メモリ等の記憶媒体に記憶されたプログラムを読み取って記憶してもよく、通信ネットワークを介して外部機器からダウンロードされたプログラムを記憶してもよい。
【００３７】
なお、第２通信端末２に接続されている記憶媒体も、記憶部２５に含まれるものとする。第２通信端末２に接続されている記憶媒体は、例えば、第２通信端末２を識別する識別情報としての第２通信端末２の電話番号（以下、第２電話番号ともいう。）を記憶するＳＩＭカードである。
【００３８】
また、記憶部２５は、見守り者が所持する第１通信端末１を識別する端末識別情報として、第１通信端末１に予め割り当てられているユーザＩＤと、見守り者の名称（例えば、お母さん、お父さん等）とを記憶する。
【００３９】
制御部２６は、例えば、ＣＰＵである。制御部２６は、記憶部２５に記憶されている各種プログラムを実行することにより、第２通信端末２に係る機能を制御する。制御部２６は、取得部２６２と、記憶制御部２６３と、通信制御部２６４と、受付部２６５と、通知部２６６とを備える。
続いて、適宜、フローチャートを参照しながら、第１通信端末１及び第２通信端末２が備える機能の詳細について説明する。
【００４０】
［ペアリング時の処理の流れ］
まず、第１通信端末１により第２通信端末２の監視を開始する際に行われるペアリング時の処理の流れについて説明する。図４は、ペアリング時の処理の流れを示すフローチャートである。なお、図４に示すフローチャートでは、一の第２通信端末２とのペアリングに係る処理の流れを示しているが、ペアリング対象の複数の第２通信端末２のそれぞれが同じ処理を行うものとする。
【００４１】
まず、第１通信端末１の第１受付部１６１は、第１通信部１３による、複数の第２通信端末２のそれぞれとの無線通信の通信状況の監視指示を受け付ける。具体的には、第１受付部１６１は、入力部１１を介して、複数の第２通信端末２の監視を行うための監視画面の表示要求を受け付けたことに応じて、当該監視画面を表示部１２に表示させる。
【００４２】
図５は、監視画面の一例を示す図である。図５に示す例では、第１通信端末１から第２通信端末２までのおおよその距離を示す扇形の距離通知用画像Ａと、第１通信端末１を示すオブジェクトＰとが表示されている。また、図５に示す例では、「ＯＮ」と表示され、監視指示を受け付ける選択画面を表示させるためのオンボタンと、「ＯＦＦ」と表示され、監視を終了する監視終了指示を受け付けるためのオフボタンとが設けられている。
【００４３】
第１受付部１６１は、オンボタンが押下されると、見守り対象者の選択を受け付ける選択画面を表示させる。図６は、選択画面の一例を示す図である。選択画面には、予め記憶部１５に記憶されている見守り対象者の名称と、当該見守り対象を監視対象とするか否かを受け付けるチェックボックスとが表示されている。本実施形態では、２人の見守り対象者「けんたろう」と「あかり」とが監視対象として選択されるものとする。また、選択画面には、監視指示を受け付ける開始ボタンと、監視画面に表示を戻すための戻るボタンとが表示されている。
【００４４】
第１受付部１６１は、選択画面において開始ボタンが押下され、監視指示を受け付けたか否かを判定する（Ｓ１）。第１受付部１６１は、監視指示を受け付けたと判定すると、Ｓ２に処理を移し、監視指示を受け付けていないと判定すると、Ｓ１を再実行する。
なお、本実施形態では、選択画面において、監視対象の見守り対象者を選択したが、これに限らない。例えば、第１受付部１６１は、予め記憶部１５に記憶されている見守り対象者に対応する複数の第２通信端末２のうち、監視画面の表示時に通信可能な第２通信端末２に対応する見守り対象者を監視対象としてもよい。
【００４５】
第１通信端末１の取得部１６２は、第１受付部１６１が監視指示を受け付けると、第２電話番号を第２通信端末２から取得する。また、第２通信端末２の取得部２６２は、第１電話番号を第１通信端末１から取得する。
【００４６】
具体的には、第１通信端末１の取得部１６２は、第２通信端末２をサーチするためのサーチ信号を第１通信部１３に発信させる（Ｓ２）。
第２通信端末２の取得部２６２は、サーチ信号を受信すると（Ｓ３）、当該サーチ信号に対応する応答信号を第１通信部２３に発信させる（Ｓ４）。
【００４７】
第１通信端末１の取得部１６２は、第２通信端末２から応答信号を受信すると（Ｓ５）、自身の記憶部１５に記憶されている、自身に割り当てられている電話番号である第１電話番号を取得し（Ｓ６）、第２通信端末２に送信する（Ｓ７）。
【００４８】
第２通信端末２の取得部２６２が第１電話番号を受信すると（Ｓ８）、記憶制御部２６３は、第１電話番号を記憶部２５に記憶させる（Ｓ９）。
また、第２通信端末２の取得部２６２は、自身の記憶部２５に記憶されている、自身に割り当てられている電話番号である第２電話番号を取得し（Ｓ１０）、第１通信端末１に送信する（Ｓ１１）。
【００４９】
第１通信端末１の取得部１６２が第２電話番号を受信すると（Ｓ１２）、記憶制御部１６３は、当該第２電話番号を、第１通信部１３による無線通信の通信状況を監視する対象として指定された第２通信端末２を識別する端末識別情報として記憶部１５に記憶させる（Ｓ１３）。複数の第２通信端末２のそれぞれと、図６に示す処理が行われることにより、第１通信端末１と複数の第２通信端末２のそれぞれとのペアリングが完了し、第１通信部１３による第２通信端末２との無線通信の通信状況の監視が開始される。
【００５０】
［監視時の処理の流れ］
続いて、第１通信端末１の通信制御部１６４は、第１通信部１３による複数の第２通信端末２のそれぞれとの無線通信の通信状況を監視する。そして、通信制御部１６４は、複数の第２通信端末２同士が第１距離以内に存在するか否かを判定するとともに、第１通信部１３による複数の第２通信端末２のそれぞれとの無線通信の通信状態と、当該判定の結果とに基づいて、第２通信部１４により、端末識別情報（第２電話番号）に基づく複数の第２通信端末２の少なくともいずれかとの無線通信を行う。
【００５１】
図７は、第１通信部１３による第２通信端末２との無線通信の通信状況の監視時の処理の流れを示すフローチャートである。なお、本実施形態のように、第１通信端末１が、複数の第２通信端末２のそれぞれとの第１通信部１３による無線通信の通信状況を監視する場合、図７に示す処理は、複数の第２通信端末２のそれぞれに対応して、並列に実行されるものとする。
【００５２】
まず、第２通信端末２の通信制御部２６４は、第１通信部２３により、ビーコン信号を発信する（Ｓ２１）。第１通信部２３は、例えば、見守り対象者のユーザＩＤをビーコンＩＤに含むビーコン信号を発信する。
第１通信端末１の通知部１６６は、第１通信部１３によるビーコン信号の受信状況に基づいて、第１通信端末１と第２通信端末２との離間度合いを見守り者に通知する（Ｓ２２）。
【００５３】
具体的には、通知部１６６は、第１通信部１３がビーコン信号を受信した場合には、ビーコン信号に含まれるビーコンＩＤ（ユーザＩＤ）に基づいて、ビーコン信号を発信した第２通信端末２を特定する。また、通知部１６６は、ビーコン信号に対応する電波の受信強度を示す情報を第１通信部１３から取得し、当該受信強度を示す情報に基づいて、ビーコン信号を発信した第２通信端末２との離間度合いを判定する。通知部１６６は、監視画面に表示されている扇形の距離通知用画像Ａの内部に、判定した離間度合いに基づいて第２通信端末２を示すオブジェクトＷを表示させる。
【００５４】
通知部１６６は、図７に示す処理を並列して実行することにより、複数の第２通信端末２のそれぞれとの離間度合いに対応する情報を、一の監視画面に表示させる。図８は、監視画面による離間度合いの通知例を示す図である。図８（ａ）には、第２通信端末２Ａを示すオブジェクトＷ１、第２通信端末２Ｂを示すオブジェクトＷ２が表示されていることが確認できる。例えば、通知部１６６は、第２通信端末２Ａとの離間度合いが小さい場合には、第１通信端末１を示すオブジェクトＰに近い位置にオブジェクトＷ１を表示させ、第２通信端末２Ａとの離間度合いが大きい場合には、オブジェクトＰから遠い位置にオブジェクトＷ１を表示させる。
【００５５】
また、通知部１６６は、第１通信部１３がビーコン信号を受信していない場合、又は第１通信部１３が第２通信端末２から受信する電波の電波強度が所定の閾値以下の場合には、第１通信端末１と第２通信端末２との距離が第１通信部１３の通信可能距離（第２距離）以上であると推定する。この場合、通知部１６６は、オブジェクトＷを非表示とする。例えば、第２通信端末２Ａからビーコン信号を受信していない場合、又は第１通信部１３が第２通信端末２から受信する電波の電波強度が所定の閾値以下の場合には、通知部１６６は、図８（ｂ）に示すように、第２通信端末２Ａを示すオブジェクトＷ１を非表示とする。
【００５６】
続いて、第１通信端末１の通信制御部１６４は、第１通信部１３がビーコン信号を受信したか否かを判定する（Ｓ２３）。通信制御部１６４は、ビーコン信号を受信したと判定すると、Ｓ２４に処理を移し、ビーコン信号を受信していないと判定すると、Ｓ２５に処理を移す。
Ｓ２４において、通信制御部１６４は、第１通信部１３により、ビーコン信号の応答信号を発信させる。第１通信部１３は、例えば、見守り者のユーザＩＤを含む応答信号を発信する。その後、通信制御部１６４は、Ｓ２２に処理を移す。
【００５７】
Ｓ２５において、通信制御部１６４は、第１通信部１３がビーコン信号を最後に受信してから所定時間（例えば、１０秒）経過したか否かを判定する。通信制御部１６４は、ビーコン信号を最後に受信してから所定時間が経過したと判定すると、Ｓ２６に処理を移し、ビーコン信号を最後に受信してから所定時間が経過していないと判定すると、Ｓ２２に処理を移す。
【００５８】
Ｓ２６において、通信制御部１６４は、複数の第２通信端末２同士が第１距離以内に存在するか否かを判定する。具体的には、通信制御部１６４は、複数の第２通信端末２のそれぞれから受信する第１通信部１３の無線通信に係る電波の受信強度に基づいて、複数の第２通信端末２同士が第１距離以内に存在するか否かを判定する。例えば、複数の見守り対象者が一緒に行動し、複数の第２通信端末２同士が第１距離以内に存在する場合には、第１通信端末１が、複数の第２通信端末２のそれぞれから受信する電波の受信強度は、同じように変化する可能性が高い。
【００５９】
そこで、通信制御部１６４は、例えば、１０秒ごとに複数の第２通信端末２のそれぞれから受信した第１通信部１３の無線通信に係る電波の電波強度の差分を算出し、現在時刻の直前の１分間における差分の合計量が予め定められた閾値以下であるか否かを判定する。通信制御部１６４は、差分の合計量が閾値以下である場合、複数の第２通信端末２のそれぞれから受信した電波の受信強度が同じように変化しており、複数の第２通信端末２同士が第１距離以内に存在すると判定する。このようにすることで、第１通信端末１は、複数の第２通信端末２同士が第１距離以内に存在するか否かを容易に判定することができる。
【００６０】
Ｓ２７において、第２受付部１６５は、第１通信部１３がビーコン信号を最後に受信してから所定時間が経過すると、第１通信部１３による無線通信の通信状況が、当該ビーコン信号の発信元の第２通信端末２と第２距離以上離れていることを示す通信状況に変化したと判定する。そして、第２受付部１６５は、第２通信部１４による第２通信端末２との無線通信の開始指示を受け付ける警告画面を表示部１２に表示させる。警告画面を表示させた後の処理については後述する。
【００６１】
第２通信端末２の通知部２６６は、第１通信部２３による応答信号の受信状況に基づいて、第１通信端末１と第２通信端末２との離間度合いを見守り対象者に通知する（Ｓ２８）。通知部２６６は、第１通信端末１の通知部１６６と同様に、応答信号に対応する電波の受信強度を示す情報を第１通信部２３から取得し、当該受信強度を示す情報に基づいて、第１通信端末１との離間度合いを判定する。そして、通知部２６６は、例えば、図５に示す監視画面と同様に扇形の距離通知用画像を表示部２２に表示させ、当該距離通知用画像の内部に、判定した離間度合いに基づいて第１通信端末１を示すオブジェクトを表示する。
【００６２】
続いて、第２通信端末２の通信制御部２６４は、第１通信部２３が応答信号を受信したか否かを判定する（Ｓ２９）。通信制御部２６４は、応答信号を受信したと判定すると、Ｓ２１に処理を移し、応答信号を受信していないと判定すると、Ｓ３０に処理を移す。
【００６３】
Ｓ３０において、通信制御部２６４は、第１通信部２３が応答信号を最後に受信してから所定時間（例えば、１０秒）が経過したか否かを判定する。通信制御部２６４は、応答信号を最後に受信してから所定時間が経過したと判定すると、Ｓ３１に処理を移し、応答信号を最後に受信してから所定時間が経過していないと判定すると、Ｓ２１に処理を移す。
【００６４】
Ｓ３１において、受付部２６５は、第１通信部２３が応答信号を最後に受信してから所定時間が経過すると、第１通信部２３による無線通信の通信状況が、第２通信端末２と第１通信端末１とが第２距離以上離れていることを示す通信状況に変化したと判定する。そして、受付部２６５は、第２通信部２４による第１通信端末１との無線通信の開始指示を受け付ける警告画面を表示部２２に表示させる。
【００６５】
［警告画面表示後の処理］
続いて、警告画面を表示した後の処理について説明する。
第１通信端末１の第２受付部１６５は、第１通信部１３による無線通信の通信状況が、第１通信端末１が複数の第２通信端末２の少なくともいずれかと第２距離以上離れていることを示す通信状況に変化すると、第２通信部１４による第２通信端末２との無線通信の開始指示を受け付ける警告画面を表示部１２に表示させ、当該開始指示を受け付ける。また、第２受付部１６５は、第１通信端末１が備えるスピーカ（不図示）から警告音を出力させることにより、見守り者に、第２通信端末２を所持する見守り対象者が自身から離れたことを通知する。
【００６６】
第２受付部１６５は、複数の第２通信端末２のそれぞれとの第１通信部１３による無線通信の通信状況に基づいて、警告画面の表示態様を変化させる。図９は、警告画面ＡＬの一例を示す図である。図９に示すように、警告画面ＡＬは、監視画面に重畳して表示される。図９（ａ）は、第１通信端末１が、第２通信端末２Ａ、第２通信端末２Ｂのうち、第２通信端末２Ａと第２距離以上離れていることを示す通信状況に変化した場合の警告画面ＡＬの一例を示す図である。図９（ｂ）は、第１通信端末１が、第２通信端末２Ａ、第２通信端末２Ｂの双方と第２距離以上離れていることを示す通信状況に変化した場合の警告画面ＡＬの一例を示す図である。
【００６７】
警告画面ＡＬには、「電話する」と表示され、第２通信部１４による第２通信端末２との無線通信の開始指示を受け付ける第１ボタンと、「音をストップ」と表示され、警告音の出力停止を受け付ける第２ボタンと、「終了」と表示され、警告画面ＡＬを非表示にする指示を受け付ける第３ボタンとが設けられている。図９（ａ）に示す例では、第２通信端末２Ａの見守り対象者「けんたろう」に対応して一の第１ボタンが表示されていることが確認できる。また、図９（ｂ）に示す例では、第２通信端末２Ａ、第２通信端末２Ｂのそれぞれの見守り対象者「けんたろう」、「あかり」に対応して複数の第１ボタンが表示されていることが確認できる。
【００６８】
また、第２受付部１６５は、複数の第２通信端末２のそれぞれとの第１通信部１３による無線通信の通信状況、及び複数の第２通信端末２が第１距離以内に存在するか否かの判定の結果に基づいて、警告画面ＡＬをさせるか否か、及び警告画面ＡＬの表示タイミングを変化させる。図１０は、警告画面ＡＬの表示制御例を示す図である。
【００６９】
第２受付部１６５は、第１通信部１３による無線通信の通信状況が、第１通信端末１が複数の第２通信端末２のそれぞれと第２距離未満であることを示す通信状況である場合（図１０のパターン１）には、警告画面ＡＬを表示部１２に表示させない。
また、第２受付部１６５は、第１通信部１３による無線通信の通信状況が、第１通信端末１が複数の第２通信端末２の少なくともいずれかと第２距離以上離れていることを示す通信状況に変化した場合（図１０のパターン２、３）において、複数の第２通信端末２同士が第１距離以内に存在するときには、警告画面ＡＬを表示部１２に表示させず、複数の第２通信端末２同士が第１距離以内に存在していないときには、警告画面ＡＬを表示部１２に表示させる。
【００７０】
例えば、第１通信端末１が第２通信端末２Ａと第２通信端末２Ｂとのいずれか一方と、第２距離以上離れていることを示す通信状況に変化した場合に、第２通信端末２Ａと、第２通信端末２Ｂとが第１距離以内に存在しないときには、複数の見守り対象者が互いに別行動をしている可能性が高い。このため、第２受付部１６５は、警告画面ＡＬを表示部１２に表示させる。他方、第２通信端末２Ａと、第２通信端末２Ｂとが第１距離以内に存在するときには、複数の見守り対象者が一緒に行動している可能性が高く、一緒に行動していない場合に比べて安全性が高いことから、第２受付部１６５は、警告画面ＡＬを表示部１２に表示させない。
【００７１】
また、第２受付部１６５は、第１通信部１３による無線通信の通信状況が、第１通信端末１が複数の第２通信端末２の少なくともいずれかと第２距離以上離れていることを示す通信状況に変化した場合に、複数の第２通信端末２同士が第１距離以内に存在するときと、複数の第２通信端末２同士が第１距離以内に存在しないときとで、警告画面ＡＬを表示部１２に表示させるタイミングを異ならせてもよい。第２受付部１６５は、第１通信端末１が複数の第２通信端末２の少なくともいずれかと第２距離以上離れていることを示す通信状況に変化した場合において、複数の第２通信端末２同士が第１距離以内に存在するときには、複数の第２通信端末２同士が第１距離以内に存在しないときに比べて遅い時間に警告画面ＡＬを表示部１２に表示させてもよい。
【００７２】
例えば、第１通信端末１が第２通信端末２Ａと第２通信端末２Ｂとのそれぞれと第２距離以上離れていることを示す通信状況に変化した場合（図１０のパターン４）に、第２通信端末２Ａと、第２通信端末２Ｂとが第１距離以内に存在しない場合には、複数の見守り対象者が互いに別行動をしている可能性が高い。このため、第２受付部１６５は、ビーコン信号を最後に受信してから第１時間（例えば、１０秒）経過したことに応じて警告画面ＡＬを表示させる。
【００７３】
他方、第２通信端末２Ａと、第２通信端末２Ｂとが第１距離以内に存在するときには、複数の見守り対象者が一緒に行動している可能性が高い。このため、第２受付部１６５は、別行動をしている可能性が高い場合よりも遅い時間、ビーコン信号を最後に受信してから第２時間（例えば、２０秒）経過したことに応じて警告画面ＡＬを表示させる。このようにすることで、第１通信端末１は、複数の見守り対象者の状況に応じて警告画面ＡＬを表示させるタイミングを変化させることができる。
【００７４】
また、第２受付部１６５は、第１通信部１３による無線通信の通信状況が、第１通信端末１が複数の第２通信端末２の少なくともいずれかと第２距離以上離れていることを示す通信状況に変化した場合に、複数の第２通信端末２同士が第１距離以内に存在するときと、複数の第２通信端末２同士が第１距離以内に存在しないときとで、異なる内容の警告画面を表示部１２に表示させてもよい。例えば、複数の第２通信端末２同士が第１距離以内に存在しない場合には、警告画面に、複数の第２通信端末２同士が第１距離以内に存在しないことを示す情報を表示させるようにしてもよい。このようにすることで、見守り者は、警告画面を介して、複数の見守り対象者が一緒に行動しているか否かを把握することができる。
【００７５】
通信制御部１６４は、第１ボタンが選択され、第２通信部１４による第２通信端末２との無線通信の開始指示を受け付けると、第２通信部１４により、第２電話番号に基づく第２通信端末２との無線通信を行う。具体的には、通信制御部１６４は、開始指示を受け付けると、第２通信部１４を制御し、ペアリング時に記憶部１５に記憶された第２電話番号に発呼する。第２通信端末２の受付部２６５は、着呼したことに応じて、第１通信端末１から着呼していることを表示部２２に表示させる。見守り対象者が第２通信端末２を操作して、通話を開始する操作を行うと、第１通信端末１の第２通信部１４と、第２通信端末２の第２通信部２４とは無線通信を開始する。
【００７６】
なお、通信制御部１６４は、選択された一の第２通信端末２と第２通信部１４による無線通信を行うこととしたが、これに限らない。通信制御部１６４は、VoLTE（Voice over LTE）を用いて、複数の第２通信端末２と同時に通信を行い、見守り者が複数の見守り対象者と同時に通話できるようにしてもよい。このようにすることで、見守り者と、複数の見守り対象者とは、円滑にコミュニケーションを取ることができる。
【００７７】
第２通信端末２の受付部２６５は、第２通信部２４による第１通信端末１との無線通信の開始指示を受け付ける警告画面を表示部２２に表示させ、当該開始指示を受け付ける。また、受付部２６５は、第２通信端末２が備えるスピーカ（不図示）から警告音を出力させることにより、見守り対象者に、自身が、第１通信端末１を所持する見守り者から離れたことを通知する。
【００７８】
受付部２６５は、図９（ａ）に示す警告画面ＡＬと同様に、第１ボタン、第２ボタン、及び第３ボタンが設けられている警告画面を表示させ、第２通信部２４による第１通信端末１との無線通信の開始指示を受け付ける。なお、第２通信端末２側では、警告画面に、警告画面を非表示にする指示を受け付ける第３ボタンを表示させないようにしてもよい。このようにすることで、第２通信端末２では、警告画面が非表示にならないので、見守り対象者が、警告画面に表示されている第１ボタンを選択して、見守り者とのコミュニケーションを開始する可能性を高めることができる。
【００７９】
通知部２６６は、第１通信部２３による無線通信の通信状況が、第２通信端末２が第１通信端末１と第２距離以上離れていることを示す通信状況に変化すると、第２通信端末２を所持する見守り対象者が見守り者と離れたことを第２通信端末２の周囲に通知する。例えば、通知部２６６は、警告画面が表示された後、所定時間（例えば、１分）にわたって、警告画面の操作が行われなかったことに応じて、見守り対象者が見守り者と離れたことを示す情報、及び見守り対象者の身元を示す情報が示された通知画面を表示部２２に表示させるとともに、警告音をスピーカから出力させ、見守り対象者が見守り者と離れたことを第２通信端末２の周囲に通知する。このようにすることで、見守り対象者が見守り者と離れたことを第三者に気付かせ、第三者に適切な対応を取る可能性を高めることができる。
【００８０】
なお、第１通信端末１と、第２通信端末２とが互いに送受信する信号に基づいて警告画面を表示させることにより、第１通信端末１と、第２通信端末２とが、同じタイミングで警告画面を表示する可能性が高い。この場合、見守り者と、見守り対象者が警告画面において同じタイミングで第２通信部による無線通信の開始指示を行うことにより話し中となり、見守り者と見守り対象者とがコミュニケーションを取ることができなくなるおそれがある。
【００８１】
そこで、第１通信端末１と、第２通信端末２とにおける警告画面の表示タイミングをそれぞれ異なるようにしてもよい。例えば、第１通信端末１において、第１通信部１３がビーコン信号を最後に受信してから第１時間（例えば、１０秒）経過したことに応じて警告画面を表示させ、第２通信端末２において、第１通信部２３が応答信号を最後に受信してから第２時間（例えば、２０秒）経過したことに応じて警告画面を表示させるようにしてもよい。また、第１通信端末１と第２通信端末２とは、警告画面に表示される第２通信部による無線通信の開始指示を受け付ける第１ボタンを選択可能になるまでの時間がそれぞれ異なるように制御してもよい。
【００８２】
なお、第１通信端末１は、第１通信部１３による無線通信の通信状況が、第１通信端末１が第２通信端末２と第２距離以上離れていることを示す通信状況に変化すると、警告画面を表示部１２に表示させ、当該警告画面において第２通信部１４による第２通信端末２との無線通信の開始指示を受け付けることとしたが、これに限らない。例えば、第１通信端末１は、第２通信部１４による第２通信端末２との無線通信の開始指示を受け付けることなく、自動的に、第２通信部１４による第２通信端末２との無線通信を開始させるようにしてもよい。
【００８３】
［見守り対象者の状況を示す情報の表示］
第１通信端末１及び第２通信端末２において、第１通信部による無線通信の通信状況が、通信相手（第２通信端末２又は第１通信端末１）と第２距離以上離れていることを示す通信状況に変化した場合、第１通信端末１を所持する見守り者に、見守り対象者の状況を示す状況情報を通知してもよい。
【００８４】
例えば、第２通信端末２の取得部２６２は、第１通信部２３による無線通信の通信状況が、第２通信端末２が第１通信端末１と第２距離以上離れていることを示す通信状況に変化すると、第２通信端末２が備える加速度センサ（不図示）から出力される加速度情報に基づいて、第２通信端末２を所持する見守り対象者の移動態様を示す情報を取得する。例えば、移動態様を示す情報には、徒歩、車、又は電車による移動であることを示す情報や、ゆっくり移動しているか、素早く移動しているか等の移動速度に関する情報が含まれる。通信制御部２６４は、見守り対象者の移動態様を示す情報を、見守り対象者の状況を示す状況情報として、第２通信部２４を介して第１通信端末１に送信する。
【００８５】
第１通信端末１の通信制御部１６４は、第１通信部１３による無線通信の通信状況が、第１通信端末１が複数の第２通信端末２の少なくともいずれかと第２距離以上離れていることを示す通信状況に変化すると、第２通信部１４により、第２距離以上離れている第２通信端末２から、見守り対象者の状況を示す状況情報として、見守り対象者の移動態様を示す情報を受信する。通知部１６６は、受信した見守り対象者の移動態様を示す情報を表示部１２に表示させたり、移動態様を示す音声をスピーカから出力させたりすることで、第１通信端末１を所持する見守り者に通知する。このようにすることで、見守り者は、見守り対象者の移動態様を把握して、見守り対象者がおかれている状況がどのような状況であるかを把握することができる。
【００８６】
なお、第２通信端末２は、見守り対象者の状況を示す状況情報として、見守り対象者の移動態様を示す情報を第１通信端末１に送信したが、これに限らない。例えば、第２通信端末２は、自身の位置を示す位置情報を取得し、当該位置情報を見守り対象者の状況を示す状況情報として第１通信端末１に送信してもよい。また、第２通信端末２は、自身に設けられている撮像部（不図示）により自身の周囲を撮像させて画像データを生成し、当該画像データを見守り対象者の状況を示す状況情報として第１通信端末１に送信してもよい。
また、第１通信端末１の通知部１６６は、第２通信端末２から受信した位置情報と、自身の位置情報とに基づいて、第１通信端末１から第２通信端末２が離れているか否かを判定してもよい。そして、通知部１６６は、見守り対象者の状況を示す状況情報として、第２通信端末２（見守り対象者）が、自身に近づいているか、離れているかを通知するようにしてもよい。
【００８７】
また、第１通信端末１が、自身の位置を示す情報を示す位置情報や、自身の周囲を撮像することによって生成された画像データを、見守り者の状況を示す情報として第２通信端末２に送信してもよい。そして、第２通信端末２の通知部２６６が、見守り者の状況を示す情報を受信したことに応じて、当該情報を表示部２２に表示させたり、当該情報を示す音声をスピーカから出力させたりすることで、見守り対象者に通知してもよい。
【００８８】
［第１通信部による通信が通信可能状態に復帰したときの処理］
なお、第１通信端末１及び第２通信端末２において第１通信部による無線通信の通信状況が、通信相手と第２距離以上離れていることを示す通信状況に変化した場合、第１通信端末１及び第２通信端末２は、第１通信部による通信が可能か否かの判定を続けてもよい。
【００８９】
例えば、第１通信端末１の通信制御部１６４は、第１通信部１３による無線通信の通信状況が第２通信端末２と第２距離以上離れていることを示す通信状況に変化した後も、第１通信部１３がビーコン信号を受信したか否かを判定する。第１通信端末１の通知部１６６は、第１通信部１３による無線通信の通信状況が、第１通信端末１が複数の第２通信端末２の少なくともいずれかと第２距離以上離れていることを示す通信状況に変化した後、第２距離以上離れていた第２通信端末２との無線通信ができる状態、すなわち、第２距離以上離れていた第２通信端末２と第２距離以上離れていないことを示す通信状況に変化すると、第１通信部１３による当該第２通信端末２との無線通信ができることを見守り者に通知する。なお、第１通信端末１の通知部１６６は、第１通信部１３による第２通信端末２との無線通信ができることを通知する代わりに、第１通信部１３による第２通信端末２との無線通信ができる状態に変化したこと、又は第１通信端末１と第２通信端末２との距離が所定距離以内に変化したことを見守り者に通知してもよい。
【００９０】
同様に、第２通信端末２の通知部２６６も、第１通信部２３による無線通信の通信状況が、第２通信端末２が第１通信端末１と第２距離以上離れていることを示す通信状況に変化した後、第１通信端末１と第２距離以上離れていないことを示す通信状況に変化すると、第１通信部２３による第１通信端末１との無線通信ができることを見守り対象者に通知する。このようにすることで、見守り者は、見守り対象者が自身に近づいていることを把握することができるとともに、見守り対象者も、見守り者が自身に近づいていることを把握することができる。
【００９１】
［第１実施形態における効果］
以上説明したように、第１実施形態に係る第１通信端末１は、第１通信部１３による無線通信の通信状況を監視する対象として指定された複数の第２通信端末２のそれぞれを識別する端末識別情報を記憶部１５に記憶し、複数の第２通信端末２同士が第１距離以内に存在するか否かを判定するとともに、第１通信部１３による第２通信端末２との無線通信の通信状態と、当該判定の結果とに基づいて、第２通信部１４により、第２通信端末２を識別する端末識別情報に基づいて複数の第２通信端末２の少なくともいずれかと無線通信を行う。
【００９２】
このようにすることで、第１通信端末１を所持する見守り者は、第２通信端末２を所持する複数の見守り対象者のうち少なくともいずれかが離れた場合に、複数の見守り対象者同士の距離に応じて、適切なタイミングで対応することができる。
【００９３】
また、第１通信端末１は、第１通信部１３による第２通信端末２との無線通信の通信状況の監視指示を受け付けると、第２通信端末２を識別する第２電話番号を第２通信端末２から取得し、当該第２電話番号を記憶部１５に記憶させる。このようにすることで、例えば、第２通信端末２に装着するＳＩＭカードが変更され、第２電話番号が変化することがあっても、第１通信端末１は、監視する時点において第２電話番号を取得するので、見守り対象者が離れた場合に、当該第２電話番号を用いて確実に第２通信端末２と通信を行うことができる。
【００９４】
＜第２実施形態＞
［第２通信端末２から、複数の第２通信端末２同士の通信状況を示す情報を取得する］
続いて、第２実施形態に係る通信システムＳについて説明する。第２実施形態に係る通信システムＳでは、第１通信端末１が、第２通信端末２から、複数の第２通信端末２同士の通信状況を示す情報を取得し、当該情報に基づいて複数の第２通信端末２が第１距離以内に存在するか否かを判定する点で、第１実施形態と異なる。以下、第１実施形態と異なる部分について説明を行う。第１実施形態と同じ部分については適宜説明を省略する。
【００９５】
第２実施形態では、第１通信端末１により複数の第２通信端末２のそれぞれの監視を開始する際に、複数の第２通信端末２間でペアリングを行う。図１１は、複数の第２通信端末２同士のペアリング時の処理の流れを示すフローチャートである。図１１に示すフローチャートでは、第２通信端末２Ａと、第２通信端末２Ｂとがペアリングを行うときの処理について説明する。
【００９６】
まず、第２通信端末２Ａの取得部２６２は、第２通信端末２Ａと第１通信端末１とのペアリングが完了した後、第２通信端末２Ｂとのペアリングを行うための操作画面を表示させる。取得部２６２は、当該操作画面を介して、第２通信端末２Ｂとのペアリングを行うペアリング操作を受け付けたか否かを判定する（Ｓ４１）。取得部２６２は、ペアリング操作を受け付けたと判定すると、Ｓ４２に処理を移し、ペアリング操作を受け付けていないと判定すると、Ｓ４１を再実行する。
【００９７】
続いて、第２通信端末２Ａの取得部２６２は、他の第２通信端末２をサーチするためのサーチ信号を第１通信部２３に発信させる（Ｓ４２）。このサーチ信号には、第２通信端末２Ａに対応するユーザＩＤが含まれている。
【００９８】
第２通信端末２Ｂの取得部２６２がサーチ信号を受信すると（Ｓ４３）、第２通信端末２Ｂの記憶制御部２６３は、当該サーチ信号に含まれている第２通信端末２Ａに対応するユーザＩＤを記憶部１５に記憶させる（Ｓ４４）。第２通信端末２Ｂの取得部２６２は、当該サーチ信号に対応する応答信号を第１通信部２３に発信させる（Ｓ４５）。当該応答信号には、第２通信端末２Ｂに対応するユーザＩＤが含まれている。
【００９９】
第２通信端末２Ａの取得部２６２は、第２通信端末２Ｂから応答信号を受信すると（Ｓ４６）、第２通信端末２Ａの記憶制御部２６３は、当該応答信号に含まれている第２通信端末２Ｂに対応するユーザＩＤを記憶部１５に記憶させる（Ｓ４７）。これにより、第２通信端末２Ａと、第２通信端末２Ｂとの間のペアリング処理が完了する。
【０１００】
第２実施形態において、第２通信端末２の第１通信部２３は、ペアリングした他の第２通信端末２に対応するユーザＩＤをビーコンＩＤに含むビーコン信号を受信する。また、第２通信端末２の通信制御部２６４は、受信したビーコン信号に対応する電波の受信強度を特定する。
【０１０１】
そして、第２通信端末２の通信制御部２６４は、特定した電波強度が所定強度以上の場合には、自身に対応する見守り対象者のユーザＩＤと、受信したビーコン信号に対応するユーザＩＤとをビーコンＩＤに含むビーコン信号を発信する。また、第２通信端末２の通信制御部２６４は、特定した電波強度が所定強度未満の場合には、自身に対応する見守り対象者のユーザＩＤのみをビーコンＩＤに含むビーコン信号を発信する。このようにすることで、第２通信端末２は、自身から所定範囲内にペアリング対象の他の第２通信端末２が存在しているか否かを第１通信端末１に通知することができる。
【０１０２】
第１通信端末１の通信制御部１６４は、複数の第２通信端末２のそれぞれから、複数の第２通信端末２同士における第１通信部１３による無線通信の通信状況を示すビーコンＩＤを取得し、当該ビーコンＩＤに基づいて、複数の第２通信端末２同士が第１距離以内に存在するか否かを判定する。通信制御部１６４は、ビーコンＩＤに複数のユーザＩＤが含まれている場合には、複数の第２通信端末２同士が第１距離以内に存在すると判定し、複数のユーザＩＤが含まれていない場合には、複数の第２通信端末２同士が第１距離以内に存在しないと判定する。
【０１０３】
［第２実施形態における効果］
以上説明したように、第２実施形態に係る第１通信端末１は、複数の第２通信端末２の少なくともいずれかから、複数の第２通信端末２同士の第１通信部１３による無線通信の通信状況を示すビーコンＩＤを取得するので、当該ビーコンＩＤに基づいて、複数の第２通信端末２同士が第１距離以内に存在するか否かを正確に判定することができる。
【０１０４】
＜第３実施形態＞
［複数の第２通信端末２のそれぞれについて、見守り対象者から離れたと判定する距離を設定する］
続いて、第３実施形態に係る通信システムＳについて説明する。第１実施形態では、第１通信端末１と複数の第２通信端末２の少なくともいずれかとが第２距離以上離れていることを示す通信状況に変化すると、警告画面を表示させた。これに対して、第３実施形態に係る通信システムＳは、複数の第２通信端末２のそれぞれについて、見守り対象者から離れたと判定する距離を設定し、当該距離に基づいて警告画面を表示させる点で第１実施形態と異なる。
【０１０５】
図１２は、第３実施形態に係る第１通信端末１の構成を示す図である。第３実施形態において、制御部１６は、設定部１６７をさらに備える。
設定部１６７は、複数の第２通信端末２のそれぞれについて、第２通信部１４による無線通信の開始指示を受け付ける警告画面を表示させる基準となる離間度合い（基準離間度合い）を設定する。例えば、設定部１６７は、所定の操作を受け付けたことに応じて、基準離間度合いの設定を受け付ける設定画面を表示部１２に表示させる。設定画面では、複数の第２通信端末２のそれぞれに対応する基準離間度合いの設定を受け付ける。なお、設定部１６７は、第２通信端末２を所持する見守り対象者のプロフィール情報（例えば、見守り対象者の年齢）に基づいて、基準離間度合いを自動的に設定するようにしてもよい。また、設定部１６７は、自動的に設定された内容の変更を受け付けてもよい。設定部１６７は、設定画面において受け付けた基準離間度合いを、複数の第２通信端末２に対応するユーザＩＤと関連付けて記憶部１５に記憶させる。
【０１０６】
第３実施形態において、通信制御部１６４は、第１通信部１３による無線通信の通信状況に基づいて、第１通信端末１と、複数の第２通信端末２のそれぞれとの離間度合いを推定する。例えば、通信制御部１６４は、複数の第２通信端末２から受信するビーコン信号の電波の受信強度に基づいて、第１通信端末１と、複数の第２通信端末２のそれぞれとの離間度合いを推定する。そして、通信制御部１６４は、推定した離間度合いと、複数の第２通信端末２のそれぞれに設定された基準離間度合いとに基づいて、複数の第２通信端末２のそれぞれに対応する警告画面を表示させ、当該警告画面を介して第２通信部１４による無線通信の開始指示を受け付ける。
【０１０７】
なお、第３実施形態では、第１通信端末１と、複数の第２通信端末２のそれぞれとの離間度合いと、基準離間度合いとに基づいて、複数の第２通信端末２のそれぞれに対応する警告画面を表示させたが、これに限らない。例えば、基準離間度合いの代わりに、警告画面を表示させる基準となる基準距離の設定を受け付けてもよい。そして、通信制御部１６４は、第１通信部１３による無線通信の通信状況に基づいて、第１通信端末１と、複数の第２通信端末２のそれぞれとの距離を算出し、当該距離と、基準距離とに基づいて警告画面を表示させるようにしてもよい。
【０１０８】
［第３実施形態における効果］
以上説明したように、第３実施形態に係る第１通信端末１は、推定した離間度合いと、複数の第２通信端末２のそれぞれに設定された基準離間度合いとに基づいて、複数の第２通信端末２のそれぞれに対応する警告画面を表示させ、当該警告画面を介して第２通信部１４による無線通信の開始指示を受け付けるので、複数の第２通信端末２のそれぞれで、警告画面を表示させるタイミングを変化させることができる。これにより、例えば、見守り対象者の年齢が低い場合に、見守り者と第１の離間度合い（例えば１０ｍ程度）よりも離れた場合に警告画面を表示させたり、見守り対象者の年齢が高い場合に、見守り者と第２の離間度合い（例えば５０ｍ程度）よりも離れた場合に警告画面を表示させたりすることができ、適切なタイミングで警告画面を表示させることができる。
【０１０９】
以上、本発明を実施の形態を用いて説明したが、本発明の技術的範囲は上記実施の形態に記載の範囲には限定されない。例えば、上述の実施形態では、第１通信端末１と、第２通信端末２とが、第２通信部による無線通信を行う場合に、端末識別情報として、電話番号を用いることとしたが、これに限らない。例えば、端末識別情報は、メールアドレスや、メッセンジャーのユーザＩＤであってもよい。そして、第１通信端末１及び第２通信端末２は、第１通信部による無線通信の通信状況が、通信相手（第２通信端末２又は第１通信端末１）と第２距離以上離れていることを示す通信状況に変化すると、第２通信部により、ＳＭＳ（Short Message Service）やメールアドレスやメッセンジャーのユーザＩＤに基づいて、通信相手との無線通信を行ってもよい。例えば、第２通信部１４による第２通信端末２との無線通信の開始指示を受け付ける警告画面に、ＳＭＳのメッセージ、電子メールのメッセージ、又はメッセンジャーアプリのメッセージを受け付けるボタンを表示させてもよい。
【０１１０】
また、上述の実施形態では、第１通信端末１及び第２通信端末２は、ペアリング時に、通信相手の電話番号を取得して記憶したが、一度、通信相手の電話番号を記憶した後は、ペアリング時に、通信相手の電話番号を取得しないようにしてもよい。また、第１通信端末１は、予め第１通信部１３による無線通信の通信状況を監視する対象として第２通信端末２の指定を受け付けてもよい。この場合、第１通信端末１は、指定を受け付けたタイミングで、第２通信端末２を識別する第２電話番号を取得して記憶部１５に記憶するようにしてもよい。
【０１１１】
また、上記実施の形態に、多様な変更又は改良を加えることが可能であることが当業者に明らかである。特に、装置の分散・統合の具体的な実施形態は以上に図示するものに限られず、その全部又は一部について、種々の付加等に応じて、又は、機能負荷に応じて、任意の単位で機能的又は物理的に分散・統合して構成することができる。
【符号の説明】
【０１１２】
１・・・第１通信端末、１１・・・入力部、１２・・・表示部、１３・・・第１通信部、１４・・・第２通信部、１５・・・記憶部、１６・・・制御部、１６１・・・第１受付部、１６２・・・取得部、１６３・・・記憶制御部、１６４・・・通信制御部、１６５・・・第２受付部、１６６・・・通知部、１６７・・・設定部、２・・・第２通信端末、２１・・・入力部、２２・・・表示部、２３・・・第１通信部、２４・・・第２通信部、２５・・・記憶部、２６・・・制御部、２６２・・・取得部、２６３・・・記憶制御部、２６４・・・通信制御部、２６５・・・受付部、２６６・・・通知部、Ｓ・・・通信システム
【図１】
2017134648.tif 000003
【図２】
2017134648.tif 000004
【図３】
2017134648.tif 000005
【図４】
2017134648.tif 000006
【図５】
2017134648.tif 000007
【図６】
2017134648.tif 000008
【図７】
2017134648.tif 000009
【図８】
2017134648.tif 000010
【図９】
2017134648.tif 000011
【図１０】
2017134648.tif 000012
【図１１】
2017134648.tif 000013
【図１２】
2017134648.tif 000014